【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
物体側から順に、
正屈折力を有する第１レンズ群と、
負屈折力を有する第２レンズ群と、
正屈折力を有する第３レンズ群を含む正屈折力の後群、とからなり、
前記第２レンズ群と前記第３レンズ群との間に配置された明るさ絞りを有し、
最も遠距離の被写体に合焦した状態における広角端から望遠端への変倍時に
前記第１レンズ群と前記第２レンズ群との間隔を広げ、
前記第２レンズ群と前記第３レンズ群との間隔を狭めるように、
前記第１レンズ群、前記第２レンズ群、前記第３レンズ群はそれぞれ移動し、
前記明るさ絞りは前記第２レンズ群との距離が小さくなるように移動し、
前記第２レンズ群は、物体側から順に、第１負レンズＬ2n1、正レンズＬ2p、第２負レ
ンズＬ2n2の３枚のレンズからなり、
以下の条件式を満足することを特徴とするズームレンズ。
−０．２８＜ｆ2／ｆt＜−０．０７    ・・・（１）
−０．３８＜ｆ2n2／ｆt＜−０．１４    ・・・（２）
ただし、
ｆ2は前記第２レンズ群の焦点距離、
ｆ2n2は前記第２レンズ群中の前記第２負レンズＬ2n2の焦点距離、
ｆtは望遠端での前記ズームレンズ全系の焦点距離、
である。
【請求項２】
前記第２レンズ群の前記第２負レンズＬ2n2が以下の条件式を満足する両凹レンズであ
ることを特徴とする請求項１に記載のズームレンズ。
−０．８０＜ＳＦ2n2＜０．５０    ・・・（３）
ただし、ＳＦ2n2は、
ＳＦ2n2＝（Ｒ2n2f＋Ｒ2n2r）／（Ｒ2n2f−Ｒ2n2r）で定義され、
Ｒ2n2fは前記第２レンズ群中の前記第２負レンズＬ2n2の物体側面の近軸曲率半径、
Ｒ2n2rは前記第２レンズ群中の前記第２負レンズＬ2n2の像側面の近軸曲率半径、
である。
【請求項３】
前記第２レンズ群の光軸上での厚みが以下の条件式（Ａ）を満足するとともに、
前記第２レンズ群の前記第１負レンズＬ2n1の形状が以下の条件式（Ｂ）を満足し、
前記第２レンズ群の前記正レンズＬ2pの形状が以下の条件式（Ｃ）を満足することを特徴とする請求項１または２に記載のズームレンズ。
０．０６＜Σｄ2G／ｆt＜０．２３    （Ａ）
−０．９＜ＳＦ2n1＜１．１              （Ｂ）
−３．０＜ＳＦ2p＜０．２              （Ｃ）
ただし、
Σｄ2Gは、光軸上における前記第２レンズ群の入射面から射出面までの距離、
ＳＦ2n1は、
ＳＦ2n1＝ （Ｒ2n1f＋Ｒ2n1r）／（Ｒ2n1f−Ｒ2n2r）で定義され、
Ｒ2n1fは前記第２レンズ群中の前記第１負レンズＬ2n1の物体側面の近軸曲率半径、
Ｒ2n1rは前記第２レンズ群中の前記第１負レンズＬ2n1の像側面の近軸曲率半径、
ＳＦ2pは、
ＳＦ2p＝（Ｒ2ｐf＋Ｒ2ｐr）／（Ｒ2ｐf−Ｒ2ｐr）で定義され、
Ｒ2ｐfは前記第２レンズ群中の前記正レンズＬ2pの物体側面の近軸曲率半径、
Ｒ2ｐrは前記第２レンズ群中の前記正レンズＬ2pの像側面の近軸曲率半径、
である。
【請求項４】
最も遠距離の被写体に合焦した状態にて、以下の条件式を満足することを特徴とする請求項１〜３のいずれか一項に記載のズームレンズ。
１．１＜（β2T×βRW）／（β2W×βRT）＜３．６    ・・・（４）
ただし、
β2W、β2Tはそれぞれ前記第２レンズ群の広角端、望遠端での近軸横倍率、
βRW、βRTはそれぞれ前記後群の広角端、望遠端での近軸横倍率、
である。
【請求項５】
前記第２レンズ群の前記第１負レンズＬ2n1の材料が以下の条件式を満足することを特
徴とする請求項１〜４のいずれか一項に記載のズームレンズ。
１．７８＜ｎd2n1＜２．２０    ・・・（５）
３５＜νd2n1＜５０    ・・・（６）
ただし、
ｎd2n1は前記第２レンズ群中の前記第１負レンズＬ2n1のｄ線に対する屈折率、
νd2n1は前記第２レンズ群中の前記第１負レンズＬ2n1のアッベ数、
である。
【請求項６】
前記第２レンズ群中の前記第２負レンズＬ2n2の材料が以下の条件式を満足することを
特徴とする請求項１〜５のいずれか一項に記載のズームレンズ。
１．７８＜ｎd2n2＜２．００    ・・・（７）
３５＜νd2n2＜５０    ・・・（８）
ただし、
ｎd2n2は前記第２レンズ群中の前記第２負レンズＬ2n2のｄ線に対する屈折率、
νd2n2は前記第２レンズ群中の前記第２負レンズＬ2n2のアッベ数、
である。
【請求項７】
前記第２レンズ群中の前記正レンズの材料が以下の条件式を満足することを特徴とする請求項１〜６のいずれか一項に記載のズームレンズ。
１．８４＜ｎd2p＜２．２０    ・・・（９）
１３＜νd2p＜３０        ・・・（１０）
ただし、
ｎd2pは前記第２レンズ群中の前記正レンズＬ2pのｄ線に対する屈折率、
νd2pは前記第２レンズ群中の前記正レンズＬ2pのアッベ数、
である。
【請求項８】
前記第２レンズ群中の前記第１負レンズＬ2n1は少なくとも物体側の面が非球面であり
、
以下の条件式を満足することを特徴とする請求項１〜７のいずれか一項に記載のズームレンズ。
０．００３＜ａｓｐ2n1f／ｆw＜０．０７    ・・・（１１）
０．００５＜（ａｓｐ2n1f ＋｜ａｓｐ2n1r|）／ｆw＜０．１５    ・・・（１２）
ただし、
ａｓｐ2n1fは前記第２レンズ群中の前記第１負レンズＬ2n1の物体側のレンズ面におけ
る非球面偏倚量、
ａｓｐ2n1rは前記第２レンズ群中の前記第１負レンズＬ2n1の像側のレンズ面における
非球面偏倚量、
ｆwは広角端での前記ズームレンズ全系焦点距離であり、非球面偏倚量とは、前記レン
ズ面の面頂と同じ面頂を持ち該レンズ面の近軸曲率半径を曲率半径とする球面を基準球面としたとき、該レンズ面における広角端での最大光線入射高の位置にて、光軸に平行な方向に測ったときの該基準面から該レンズ面までの距離であり、像側方向を正符号とする。
【請求項９】
前記第１レンズ群は正レンズＬ1p、負レンズＬ1nの合わせて２枚のレンズからなることを特徴とする請求項１〜８のいずれか一項に記載のズームレンズ。
【請求項１０】
前記第１レンズ群の前記負レンズＬ1nと前記正レンズＬ1pはそれぞれ単レンズからなることを特徴とする請求項９に記載のズームレンズ。
【請求項１１】
前記第１レンズ群の前記負レンズＬ1nと前記正レンズＬ1pの間隔が、以下の条件式を満足することを特徴とする請求項１０に記載のズームレンズ。
０.０≦ｄ1np／ｄ1＜０．２    ・・・（１３）
ただし、
ｄ1npは前記第１レンズ群の負レンズと正レンズの光軸上での間隔、
ｄ1は前記第１レンズ群の入射面から射出面までの光軸上での距離、
である。
【請求項１２】
前記第１レンズ群の前記負レンズＬ1nと前記正レンズＬ1pは互いに接合されていることを特徴とする請求項９に記載のズームレンズ。
【請求項１３】
前記第１レンズ群の前記負レンズＬ1nと前記正レンズＬ1pの材料が以下の条件式を満足することを特徴とする請求項９〜１２のいずれか一項に記載のズームレンズ。
１．４７＜ｎd1p＜１．９０    ・・・（１４）
４０＜νd1p＜８５            ・・・（１５）
１．７５＜ｎd1n＜２．０６    ・・・（１６）
１２＜νd1n＜３１            ・・・（１７）
ただし、
ｎd1pは前記正レンズＬ1pのｄ線に対する屈折率、
νd1pは前記正レンズＬ1pのアッベ数、
ｎd1nは前記負レンズＬ1nのｄ線に対する屈折率、
νd1nは前記負レンズＬ1nのアッベ数、
である。
【請求項１４】
前記第１レンズ群は物体側から前記負レンズＬ1n、前記正レンズＬ1pからなることを特徴とする請求項９〜１３のいずれか一項に記載のズームレンズ。
【請求項１５】
前記第３レンズ群が３枚以下のレンズからなることを特徴とする請求項１〜１４のいずれか一項に記載のズームレンズ。
【請求項１６】
前記第３レンズ群は物体側から順に、正レンズ、正レンズ、負レンズの３枚のレンズからなることを特徴とする請求項１５に記載のズームレンズ。
【請求項１７】
以下の条件式を満足することを特徴とする請求項１〜１６のいずれか一項に記載のズームレンズ。
０．３＜ｆ1／ｆt＜１．５    ・・・（１８）
ただし、ｆ1は前記第１レンズ群の焦点距離である。
【請求項１８】
以下の条件式を満足することを特徴とする請求項１〜１７のいずれか一項に記載のズームレンズ。
０．０７＜ｆ3／ｆt＜０．５３    ・・・（１９）
ただし、ｆ3は前記第３レンズ群の焦点距離である。
【請求項１９】
前記ズームレンズが、物体側から順に、前記第１レンズ群、前記第２レンズ群、前記第３レンズ群、正屈折力を有する第４レンズ群からなる４群ズームレンズであることを特徴とする請求項１〜１８のいずれか一項に記載のズームレンズ。
【請求項２０】
前記ズームレンズが、物体側から順に、前記第１レンズ群、前記第２レンズ群、前記第３レンズ群、負屈折力を有する第４レンズ群、正屈折力を有する第５レンズ群からなる５群ズームレンズであることを特徴とする請求項１〜１８のいずれか一項に記載のズームレンズ。
【請求項２１】
以下の条件式を満足することを特徴とする、請求項１９または２０に記載のズームレンズ。
０．２＜ｆRG／ｆt＜０．９    ・・・（２０）
ただし、ｆRGは前記ズームレンズ中最も像側に位置するレンズ群の焦点距離である。
【請求項２２】
以下の条件式を満足することを特徴とする請求項１〜２１のいずれか一項に記載のズームレンズ。
４．８＜ｆt／ｆw＜１５．０    ・・・（２１）
ただし、ｆwは広角端での前記ズームレンズ全系の焦点距離ある。
【請求項２３】
請求項１〜２２のいずれか一項記載のズームレンズと、
前記ズームレンズの像側に配置され、前記ズームレンズにより形成される光学像を電気信号に変換する撮像素子を有することを特徴とする電子撮像装置。
【請求項２４】
以下の条件式を満足することを特徴とする請求項２３に記載の電子撮像装置。
０．４８＜Ｉm／ｆw＜０．８５    ・・・（２２）
ただし、
Ｉmは有効撮像領域における最大像高、
ｆwは広角端の前記ズームレンズの焦点距離である。
【手続補正２】
【補正対象書類名】明細書
【補正対象項目名】００１０
【補正方法】変更
【補正の内容】
【００１０】
上記課題を解決するために、第１のズームレンズは、物体側から順に、正屈折力を有する第１レンズ群と、負屈折力を有する第２レンズ群と、正屈折力を有する第３レンズ群を含む正屈折力の後群、とからなり、第２レンズ群と第３レンズ群との間に配置された明るさ絞りを有し、最も遠距離の被写体に合焦した状態における広角端から望遠端への変倍時に第１レンズ群と第２レンズ群との間隔を広げ、第２レンズ群と第３レンズ群との間隔を狭めるように、第１レンズ群、第２レンズ群、第３レンズ群はそれぞれ移動し、明るさ絞りは第２レンズ群との距離が小さくなるように移動し、第２レンズ群は、物体側から順に、第１負レンズＬ2n1、正レンズＬ2p、第２負レンズＬ2n2の３枚のレンズからなり、以下の条件式を満足するように構成するものである。
【手続補正３】
【補正対象書類名】明細書
【補正対象項目名】００３２
【補正方法】変更
【補正の内容】
【００３２】
また、第３のズームレンズは、第１〜第２のズームレンズにおいて、第２レンズ群の光軸上での厚みが以下の条件式（Ａ）を満足するとともに、
第２レンズ群の第１負レンズＬ2n1の形状が以下の条件式（Ｂ）を満足し、
第２レンズ群の正レンズＬ2pの形状が以下の条件式（Ｃ）を満足することが好ましい。
０．０６＜Σd2G／ｆt＜０．２３    （Ａ）
−０．９＜ＳＦ2n1＜１．１        （Ｂ）
−３．０＜ＳＦ2p＜０．２        （Ｃ）
ただし、
Σｄ2Gは、光軸上における第２レンズ群の入射面から射出面までの距離、
ＳＦ2n1は、
ＳＦ2n1＝（Ｒ2n1f＋Ｒ2n1r）／（Ｒ2n1f−Ｒ2n2r）で定義され、
Ｒ2n1fは第２レンズ群中の第１負レンズＬ2n1の物体側面の近軸曲率半径、
Ｒ2n1rは第２レンズ群中の第１負レンズＬ2n1の像側面の近軸曲率半径、
ＳＦ2pは、
ＳＦ2p＝（Ｒ2ｐf＋Ｒ2ｐr）／（Ｒ2ｐf−Ｒ2ｐr）で定義され、
Ｒ2ｐfは第２レンズ群中の正レンズＬ2ｐの物体側面の近軸曲率半径、
Ｒ2ｐrは第２レンズ群中の正レンズＬ2ｐの像側面の近軸曲率半径、
である。